(57)【要約】      （修正有）【課題】漏話補償機能を有する通信コネクタを提供する。【解決手段】コネクタ１０は、相手コネクタ１５を受容するための開口を具備したハウジング１２を含んでいる。第１と第２のペアのターミナル・コンタクト配線２４はハウジング１２で支えられ、各々のペアが異なる信号経路を形成している。ターミナル・コンタクト配線２４は、ベース部分２６と、自由端２８と、中間の同一平面のコンタクト部分３０とを具備して、相手コネクタ１５の該当するターミナル１８と電気接触する。第１と第２のペアの延長された並列のコンデンサ・プレート３４は、コンタクト配線２４の該当する自由端２８で固定されている。各々ペアのコンデンサ・プレートのプレート３４は、一方のペアのコンタクト配線の付随するターミナル・コンタクト配線を、他方のペアのコンタクト配線の付随するターミナル・コンタクト配線に容量性的に結合している。【選択図】図１
2008262915.tif 000002
【特許請求の範囲】
【請求項１】
通信コネクタであって、
組み合わせコネクタを受容する開口を有する、コネクタ・ハウジングと、
前記のハウジングで支えられる、少なくとも第１と第２のペアのターミナル・コンタクト配線において、各々ペアのコンタクト配線が異なる信号経路を形成し、
前記のターミナル・コンタクト配線が、前記の組み合わせコネクタの該当するターミナルとの電気接触の設定点のために、ベース部分と、自由端と、全体的に同一平面の中間のコンタクト部分とを有する、前記の少なくとも第１と第２のペアのターミナル・コンタクト配線と、
前記のターミナル・コンタクト配線の該当する自由端に固定された、第１と第２のペアの並列の延長されたコンデンサ・プレートにおいて、各々ペアのコンデンサ・プレートは、前記の組み合わせコネクタと前記のコンタクト配線との間の前記の電気接触の設定点のほぼ近くに容量性漏話補償をもたらすように、一方のペアのコンタクト配線の関連するターミナル・コンタクト配線を、他方のペアのコンタクト配線の関連するターミナル・コンタクト配線に容量性的に結合するように、寸法形状が設定され構成され、かつ構成されている、前記の第１と第２のペアの並列の延長されたコンデンサ・プレートとを含み、
前記の各々のペアのコンデンサ・プレートの長手方向は、前記ターミナル・コンタクト配線の前記コンタクト部分の作る共平面に対して平行であり、
前記の各々のペアのコンデンサ・プレートは、前記コンデンサ・プレートが互いに垂直となる面として配置されるように、前記ターミナル・コンタクト配線の前記自由端から延長している通信コネクタ。
【発明の詳細な説明】
【技術分野】
【０００１】
本発明は、漏話を減少する又は補償する、通信コネクタの構造に関する。
【背景技術】
【０００２】
コネクタを介して伝搬される信号経路間の漏話を抑制又は補償する通信コネクタの構造が、多いに望まれている。ここに定めるように、漏話は、第１の経路、例えば、通信コネクタ内のペアのターミナル・コンタクト配線上で伝送又は伝搬した信号が、第二の信号経路、例えば、同じコネクタ内の別のペアのターミナル・コンタクト配線に、電磁気的に部分的に結合する時に生じる。伝搬した信号は、第２の経路上で“漏話”として検出され、そのような漏話は、第２の経路上で送られる既存の信号を劣化させることになる。
【発明の開示】
【発明が解決しようとする課題】
【０００３】
例えば、標準タイプのＲＪ−４５通信コネクタは、４つの異なる信号経路を定める、４つのペアのコンタクト配線を一般的に含んでいる。従来のＲＪ−４５プラグとジャック・コネクタでは、全ての４つのペアの配線が、コネクタの長手方向の全体にわたって互いにほぼ並列に延長している。従って、漏話は、異なるペアのコンタクト配線間で、特に、組み合わせプラグとジャックの組合わせにおいて生じると思われる。漏話の振幅は、結合した信号の周波数又はデータ・レートが上昇するにつれて上昇する。
【０００４】
通信コネクタの漏話特性の等級設定に適した基準近端漏話又は“ＮＥＸＴ”に関している。ＮＥＸＴの等級設定は組み合わせプラグとジャックの組合せに対して普通は実施され、プラグ・コネクタの入力ターミナルが基準面として用いられている。非シールド・ツイスト・ペア（ＵＴＰ）の銅線を用いる通信リンクは、１００ＭＨｚ又は業界基準“カテゴリ５”特性だけではなく、２５０ＭＨｚにおいて少なくとも４６ｄＢの漏話損失を要求する提案された“カテゴリ６“にも適合するようなデータ・レートを維持することが、今期待されている。
【０００５】
漏話補償回路は、通信ジャックのターミナル・コンタクト配線が接続するプリント基板の層の上部又は内部に位置している。本出願と本発明の譲受人に譲渡された米国特許第５，９９７，３５８号（１９９９１２月７日）を参照。‘３５８特許の全ての関連部分が、引例によって包含されている。
【０００６】
米国特許第５，５４７，４０５号（１９９６年８月２０日）は、ハウジング内に組み込まれている、第１と第２の信号を搬送するペアの延長し横に離間されたコンタクトを有する漏話抑制コネクタに関している。１つのペアの１つのコンタクトの中間部分は、付随するコンタクト間に容量性的な結合を呈するように、重なり部分の間に誘電体を具備して、他方のペアの別のコンタクトの中間部分を全体的に形成している。
【０００７】
１９９９年１０月２０日に提出され、本出願と本発明の譲受人に譲渡された、米国特許出願Ｎｏ．０９／４２１，５６９は、容量性漏話補償機能を有する通信コネクタ・アセンブリに関している。コネクタ・アセンブリは、コンタクト配線の自由端部分とベース部分との間を接続するコンタクト部分を具備した自由端部分を有する、多くのターミナル・コンタクト配線を特徴にしている。少なくとも第１と第２のペアのコンタクト配線では、それらの自由端部分が先端部分を形作るように延長している。第１のペアのコンタクト配線の先端部分の１つと、第２のペアのコンタクト配線の先端部分の１つは、容量性漏話補償を呈するために、互いに容量性的に結合をするように、寸法形状が設定され構成されている。
【０００８】
漏話補償が組み合わせプラグとジャック・コネクタとの間の電気接触のポイント以外の場所で実施されると、既存の漏話信号と補償する漏話信号との間の最終的な移相シフトが、信号が互いを完全に相殺することを防止できる。すなわち、容量性漏話補償は、コネクタの比較的短い長さのコンタクト配線上で適用できるので望ましいが、このような補償を実施するポイントは、不快な漏話、例えば、組み合わせプラグのソースのできる限り近くに位置すべきである。
【課題を解決するための手段】
【０００９】
本発明によれば、通信コネクタは、組み合わせコネクタを受容する開口を有するコネクタ・ハウジング含んでいる。少なくとも第１と第２のペアのターミナル・コンタクト配線はハウジング内で支えられ、各々ペアのコンタクト配線が異なる信号経路を形成している。ターミナル・コンタクト配線は、ベース部分と自由端と全体的に同一平面の中間のコンタクト部分とを、組み合わせコネクタの該当するターミナルとの電気接触の設定点のために備えている。第１と第２のペアの延長された並列なコンデンサ・プレートは、ターミナル・コンタクト配線の該当する自由端に固定されている。各々ペアのコンデンサ・プレートは、コンタクト配線と組み合わせコネクタとの間の電気接触のポイントにほぼ近いところで容量性漏話補償を呈するように、一方のペアのコンタクト配線の付随するターミナル・コンタクト配線を、他方のペアのコンタクト配線の付随するターミナル・コンタクト配線に容量性的に結合するように、寸法形状が設定され構成されている。各々ペアのコンデンサ・プレートは、ターミナル・コンタクト配線のコンタクト部分の面にほぼ並列な方向に延長している。
【００１０】
開示された実施例では、第１と第２のペアの並列コンデンサ・プレートは、ターミナル・コンタクト配線の自由端に対して垂直な方向にも延長し、互いに直交する面で並んでいる。
【００１１】
本発明のより良い理解のために、添付の図面と請求項と共に、次に述べる説明を参照すること。
【発明を実施するための最良の形態】
【００１２】
図１は、本発明による通信コネクタ１０の側面図である。図２は、図１の右側から見たコネクタ１０の端面図である。
【００１３】
コネクタ１０は、図１の左側で、ハウジングの側壁１６に組み合わせコネクタ１５を受容するための開口１４を有するコネクタ・フレーム又はハウジング１２を含んでいる。図示する実施例で、組み合わせコネクタは、一般的なＲＪ−４５タイプのプラグである。プラグ１５は、例えば、８つのコンタクト・ブレード・ターミナル１８を有し、その１つが図１に図示されている。プラグ１５のブレード・ターミナル１８の各々は、例えば、付随するケーブル２２によって運ばれる４つのペアの巻きつけられたリード配線のなかで、該当するケーブル・リード配線２０で終端している。
【００１４】
通信コネクタ１０のコネクタ・ハウジング１２の構成は、現状のプリント配線基板ジャックのハウジング、例えば、Ｌｕｓｅｎｔ  Ｔｅｃｈｎｏｌｏｇｉｅｓ，Ｉｎｃから入手できるタイプ６７５Ｃに、制限なしに類似していると思われる。開示された実施例において、８つのターミナル・コンタクト配線２４が、ハウジング１２に支えられている。ターミナル・コンタクト配線は、ベース部分２６、自由端２８、及びベース部分２６と自由端２８との間に伸びるコンタクト部分３０とを有する。コンタクト部分３０は、全体的に、互いに並列で同一平面にあり、図１に示すように、プラグがコネクタハウジング開口１４に受容される時に、プラグ１５の該当するブレード・ターミナル１８との電気接触のポイント３２を確立する。コネクタ・ハウジング１２は、図２に示すような多くの（例えば８つの）同じスペースの縦溝３３を有する後壁３１を含んでいる。ターミナル・コンタクト配線２４ａ〜２４ｈの自由端は、プラグ・ブレード・ターミナル１８がターミナル・コンタクト配線のコンタクト部分３０を図１と２の下方へ押し込むので、該当する溝３３の内部の垂直方向の動きに相応して案内される。
【００１５】
ターミナル・コンタクト配線２４は、ベリリウム銅や弾性りん青銅などのような銅合金から作られている。各々コンタクト配線２４の一般的な断面は、図２のターミナル・コンタクト配線２４ａ，２４ｂ，２４ｇ、２４ｈの自由端で見受けられるように、約０．０１５インチ幅で、約０．０１０インチの高さである。
【００１６】
次に、図２を参照すると、異なるペアのターミナル・コンタクト２４に番号が付記され、個々の配線が識別されている。番号が付記されたペアの各々が、コネクタ１０を介して該当する信号経路を形作っている。
ペアの番号  コンタクト配線
１   ２４ｄ、  ２４ｅ
２   ２４ａ、  ２４ｂ
３   ２４ｃ、  ２４ｆ
４   ２４ｇ、  ２４ｈ
【００１７】
ペア１ターミナル・コンタクト配線２４ｄと２４ｅは、ペア３コンタクト配線２４ｃと２４ｆとの間を延長している。延長されたコンデンサ・プレート３４ｄと３４ｅはペア１コンタクト配線の自由端に形成され、延長されたコンデンサ・プレート３４ｃと３４ｆはペア３コンタクト配線の自由端に形成されている。コンデンサ・プレート３４ｃ〜３４ｆは、実質的に、ターミナル・コンタクト配線２４のコンタクト部分３０の面に対して並列であり、コンタクト配線の自由端に対して垂直となる、長手方向に延長している。
【００１８】
コンデンサ・プレート３４ｃは、プレート３４ｅと並列して並べられ、誘電体材料をプレート３４ｃと３４ｅとの間に挟んでいる。従って、ペア３コンタクト配線のコンタクト配線２４ｃは、ペア１コンタクト配線のコンタクト配線２４ｅと容量性的に結合している。同様に、コンデンサ・プレート３４ｄは、ペア１コンタクト配線のターミナル・コンタクト配線２４ｄをペア３コンタクト配線のコンタクト配線２４ｆと容量性的に結合するように、誘電体材料をプレート間に挟み、プレート３４ｆと並列して並べられている。
【００１９】
コンデンサ・プレートの各々ペアが呈する容量性結合の大きさは、並列プレートの面積と、プレート間の材料の厚みと誘電率との関数になる。１．０ピコ・ファラッドの単位で値が得られるはずである。その結果、容量性漏話補償は、ペア１とペア３のコンタクト配線によって伝搬される信号に対して実施され、組み合わせプラグ１５との電気的接触のポイント３２のほぼ近くで行われる。
【００２０】
各々コンデンサ・プレートは、関連するコンタクト配線の自由端で一体化して形成され、図３に示すコンタクト配線によりスタンプ化される。並列コンデンサ・プレート３４ｃと３４ｅ、及び３４ｄと３４ｆの各々のペアは、適切なコーティング処理により、それらの間に誘電体を挟んでカプセル化されている。例えば、プレートは、コーティング液に浸され、紫外線（ＵＶ）に露出することによって実質的に硬化される。このようなカプセル化は、所望の静電容量を維持して、プレート間の高電圧破壊を防止する。
【００２１】
図１から分かるように、コネクタ接点３２とコンデンサ・プレート３４の本体との間の距離が、最小である。この構造が、コンデンサ・プレートによる漏話補償が、プラグ／コネクタ境界面において実質的に実施されることを可能にする。従って、漏話補償の効果が、最小伝搬遅延により更に向上することになる。
【００２２】
２つ以下のターミナル・コンタクト配線の自由端は、ターミナルの自由端でカプセル化したペアのコンデンサ・プレートにより、互いの動きに相応して結合されるので、ブレード・ターミナル１８が図１の垂直位置で互いに僅かに異なっていても、コンタクト配線２４の全てが、組み合わせプラグ１５のコンタクト・ブレード１８と確実に接触している。更に、コンタクト配線ペア１と２、１と４、２と３、３と４との間の漏話補償は、接点３２から外部プリント基板４０（図１を参照）にかけてターミナル・コンタクト配線の長手方向に沿って他のところでも達成される。何故なら、前述のペア間で生じる任意の漏話も、ペア１と３の間に生じるものよりは、一般的にそれほど重大でないからである。
【００２３】
図１から分かるように、コンデンサ・プレート３４ｃと３４ｅ、及びプレート３４ｄと３４ｆは、互いに直交する面で並んでいる。この構造が、２つのセットの並列コンデンサ・プレート間における物理的干渉を回避し、２つのペアのプレート間における任意の好ましくない交差結合も回避している。
【００２４】
コンタクト配線２４のベース部分２６は、コネクタ・ハウジング１２の下部に水平に形成された該当するチャネルで支えられている。図１を参照。図２に示すように、コンタクト配線のベース部分が、該当するターミナル４２を形成している。ターミナル４２は、外部回路基板４０の該当するパターンに形成されたターミナル開口に対する挿入に相応した“針目“構造になっている。
【００２５】
コンデンサ・プレート３４とターミナル４２とを含んでいるターミナル・コンタクト配線２４は、例えば、既存の生産設備を用いて、リード・フレーム・アセンブリの形で製造できる。製造費用が低く抑えられ、製造の歩留まりも、このようなコンタクト配線リード・フレームに対して高く維持されている。更に、外部回路基板４０のコストは、更なる漏話補償の任意の段階が基板４０上に又はその内部で必要になる場合でも、僅かなので安い。
【００２６】
［例］
タイプ６５７Ｃジャックは、本開示により、ターミナル・コンタクト配線ペア１と３の自由端に、コンデンサ・プレート３４を含むように修正された。図５は、配線ペア１と３に対して測定した近端漏話（ＮＥＸＴ）のグラフである。測定結果は、ペア１と３との間の漏話が、２５０ＭＨｚで、−４６．６９６ｄＢにまで低下したので、ＴＩＡカテゴリ６の規定に適合することを示している。前述のように、全体的な特性は、外部回路基板４０の上部、又は、その内部の補償の段階を用いることにより更に向上できる。
【００２７】
前述の説明は好ましい実施例について述べているが、種々の変更と修正が、請求項で定める本発明の趣旨と範囲を逸脱せずに実施できることは、当業者には自明のことと思われる。
【００２８】
［発明の効果］
本発明によれば、漏話補償機能を有する通信コネクタを提供できる。
【図面の簡単な説明】
【００２９】
【図１】本発明による通信コネクタと組み合わせプラグの側面図である。
【図２】図１の右側から見たコネクタの端面図である。
【図３】本発明による、配線の自由端にコンデンサ・プレートを用いて作られたコネクタ・ターミナル・コンタクト配線の斜視図である。
【図４】本発明による、配線の自由端に並列するコンデンサ・プレートを配置した二つのターミナル・コンタクト配線の斜視図である。
【図５】本発明による、容量性漏話補償結合機能を有する２つのペアのターミナル・コンタクト配線間で測定された近端漏話（ＮＥＸＴ）を表すグラフである。
【符号の説明】
【００３０】
１０  コネクタ
１２  コネクタ・フレーム又はハウジング
１４  開口
１５  組み合わせコネクタ
１６  側壁
１８  ブレード・ターミナル
２０  ケーブル配線リード
２２  付随するケーブル
２６  ベース部分
２８  自由端
【図１】
2008262915.tif 000003
【図２】
2008262915.tif 000004
【図３】
2008262915.tif 000005
【図４】
2008262915.tif 000006
【図５】
2008262915.tif 000007